(57)【要約】【課題】従来のＰＯＰ表示具は、陳列フックを用いて限られた空間に多種類の商品群を陳列している状況では配置することが難しいという問題点があった。【解決手段】前端に表示部５１を有する上側ロッド５２と、商品Ｃを吊り下げる下側ロッド５３とを上下に備えた陳列フックＨに用いる表示具Ａであって、表示部５１を含む上側ロッド５２の前端部分に装着するベース１と、ベース１の左右両側から前方に延出する一対のアーム２と、両アーム２の前端に対して上下方向に回転自在に設けた表示板３とを備え、陳列フックＨにベース１を装着した状態において、一対のアーム２が、下側ロッド５３よりも前方に延出する。商品群の前方空間を有効利用すると共に、陳列フックＨの機能を妨げることなく、商品Ｃの宣伝広告を行うことができる。【選択図】図４
2018068964.tif 000002
【特許請求の範囲】
【請求項１】
前端にプライスカードの表示部を有する上側ロッドと、商品を吊り下げるための下側ロッドとを上下に備えた陳列フックに用いる表示具であって、
前記表示部を含む上側ロッドの前端部分に装着するベースと、
前記ベースの左右両側から前方に延出する一対のアームと、
両アームの前端に対して上下方向に回転自在に設けた表示板とを備え、
前記陳列フックにベースを装着した状態において、前記一対のアームが、下側ロッドよりも前方に延出することを特徴とする陳列フック用表示具。
【請求項２】
前記ベースが、プライスカードの表示部に相対向する基板を有すると共に、前記基板に前記一対のアームが設けてあることを特徴とする請求項１に記載の陳列フック用表示具。
【請求項３】
少なくとも前記一対のアームが、透明であることを特徴とする請求項１又は２に記載の陳列フック用表示具。
【請求項４】
前記一対のアームの間隔を変更するためのアーム調節機構を備えたことを特徴とする請求項１〜３のいずれか１項に記載の陳列フック用表示具。
【発明の詳細な説明】
【技術分野】
【０００１】
本発明は、商品を吊り下げて陳列するための陳列フックに用いられる陳列フック用表示具に関するものである。
【背景技術】
【０００２】
従来において、陳列フック用表示具としては、例えば、ＰＯＰ表示具の名称で特許文献１に記載されたものがある。特許文献１に記載の陳列フックは、上側のプライスカード用フックと、下側の商品陳列用フックとを平行に備えると共に、後端部に、格子への取付部を備えている。この陳列フックは、プライスカード用フックの前端に、プライスカードを設けると共に、商品陳列用フックに、複数の商品を吊り下げた状態にして陳列する。そして、特許文献１に記載のＰＯＰ表示具は、同じ高さに配置した複数の陳列フックによって支持される棚状を成すものである。
【先行技術文献】
【特許文献】
【０００３】
【特許文献１】特開２０１１−１６７２５６号公報
【発明の概要】
【発明が解決しようとする課題】
【０００４】
ところで、上記したような従来のＰＯＰ表示具は、複数の陳列フックにより支持される棚状を成しているので、商品群の間に空間的余裕がある場合には好適である。しかしながら、店舗等では、格子や壁等の構造体に対して陳列フックを縦横に配置し、限られた空間に多種類の商品群を陳列している状況においては、ＰＯＰ用品を配置することが難しいという問題点があり、このような問題点を解決することが課題であった。
【０００５】
本発明は、上記従来の課題に着目して成されたもので、前端にプライスカードの表示部を有する上側ロッドと、商品を吊り下げるための下側ロッドとを上下に備えた陳列フックに用いる表示具であって、商品群の前方空間を有効利用するようにし、陳列フックの機能を妨げることなく、商品の宣伝広告を行うことができる陳列フック用表示具を提供することを目的としている。
【課題を解決するための手段】
【０００６】
本発明に係わる陳列フック用表示具は、前端にプライスカードの表示部を有する上側ロッドと、商品を吊り下げるための下側ロッドとを上下に備えた陳列フックに用いる表示具であって、前記表示部を含む上側ロッドの前端部分に装着するベースと、前記ベースの左右両側から前方に延出する一対のアームと、両アーム部の前端に対して上下方向に回転自在に設けた表示板とを備え、前記陳列フックにベースを装着した状態において、前記一対のアームが、下側ロッドよりも前方に延出することを特徴としている。
【発明の効果】
【０００７】
本発明に係わる陳列フック用表示具は、格子や壁等の構造体に取り付けた陳列フックに装着される。陳列フックは、上側ロッドの表示部に、プライスカードを設けると共に、下側ロッドに、複数の商品を吊り下げた状態にして陳列する。陳列フック用表示具は、陳列フックの上側ロッドの前端部分にベースを装着し、この状態で、一対のアームが下側ロッドよりも前方に延出している。そして、陳列フック用表示具は、両アームの前端に設けた表示板に、商品の宣伝広告を表示する。
【０００８】
つまり上記の陳列フック用表示具は、陳列フックの前方空間に配置した表示板に宣伝広告を表示する。この際、陳列フック用表示具は、上側ロッドの表示部に設けたプライスカードを遮ることはなく、下側ロッドから商品を取り出す際には、表示板が回転するので商品の取り出しを妨げることもない。
【０００９】
このようにして、本発明に係わる陳列フック用表示具は、前端にプライスカードの表示部を有する上側ロッドと、商品を吊り下げるための下側ロッドとを上下に備えた陳列フックに用いられ、商品群の前方空間を有効利用するようにし、陳列フックの機能、すなわちプライスカードの表示や商品の取り外しなどの機能を妨げることなく、商品の宣伝広告を表示することができる。
【図面の簡単な説明】
【００１０】
【図１】本発明に係わる陳列フック用表示具の第１実施形態において、陳列フックへの装着前の状態を示す側面図である。
【図２】陳列フック用表示具の展開図である。
【図３】陳列フック用表示具の斜視図である。
【図４】図１の状態から陳列フックに装着した状態を示す側面図である。
【図５】本発明に係わる陳列フック用表示具の第２実施形態を示す側部断面図（Ａ）、及び図Ａ中のＡ−Ａ線矢視に基づく背面図（Ｂ）である。
【図６】（Ａ）及び（Ｂ）は図５Ａ中のＡ−Ａ線矢視に基づく図であって、陳列フック用表示具の第３実施形態を示す背面図（Ａ）、第４実施形態を示す背面図（Ｂ）、及び第５実施形態を示す正面図（Ｃ）である。
【図７】本発明に係わる陳列フック用表示具の第６実施形態を説明する側面図（Ａ）、平面図（Ｂ）、及び陳列フックに装着した状態を示す側面図（Ｃ）である。
【図８】本発明に係わる陳列フック用表示具の第７実施形態を説明する側面図（Ａ）、正面図（Ｂ）、及び平面図（Ｃ）である。
【発明を実施するための形態】
【００１１】
〈第１実施形態〉
図１に示す陳列フック用表示具Ａ（以下、「表示具Ａ」と略記する）は、前端にプライスカードの表示部５１を有する上側ロッド５２と、商品Ｃを吊り下げるための下側ロッド５３とを上下に備えた陳列フックＨに用いるものである。なお、実施形態では、陳列した商品群に向かって手前側の端部を前端部とし、奥側の端部を後端部とする。
【００１２】
図示例の陳列フックＨは、例えば金属製の棒材を曲成したものであり、後端側の連続部５４と、互いに平行な上下のロッド５２，５３とを連続的に有している。上側ロッド５２は、前端に、例えばプラスチック製の表示部５１が設けてある。表示部５１は、前面（正面）に、プライスカードを差し込むポケット部５１Ａを有し、後面に、上側ロッド５２との固定部５１Ｂを有する。他方、下側ロッド５３は、前端に、商品Ｃの脱落を防止するための上向きの傾斜部５３Ａが設けてある。傾斜部５３Ａは、上側ロッド５２の表示部５１よりも前方に延出した位置にある。
【００１３】
上記の陳列フックＨは、下側ロッド５３の後端下部に、下方に開放された取付部材５５が固定してあり、格子Ｇの横桟Ｇ１に上側から取付部材５５を嵌合することで、格子Ｇから張り出した状態に取り付けられる。なお、この実施形態では、構造体として格子Ｇを例示したが、構造体の形態により取付部材の構成を適宜変更することができる。
【００１４】
表示具Ａは、陳列フックＨの表示部５１を含む上側ロッド５２の前端部分に装着するベース１と、ベース１の左右両側から前方に延出する一対のアーム２，２と、両アーム２，３の前端に対して上下方向に回転自在に設けた表示板３とを備えている。表示具Ａは、その材料がとくに限定されるものではないが、製造コストや生産性を考慮すれば、プラスチック製であることがより望ましい。
【００１５】
ここで、表示具Ａは、例えばプラスチック製とした場合、図２に示すように、展開したシート状に形成することができる。図示の表示具Ａは、矩形状を成す中央の基板１Ａと、基板１Ａの上辺に連続する連結板１Ｂと、連結板１Ｂの上辺に連続する保持板１Ｃを有しており、基板１Ａ、連結板１Ｂ及び保持板１Ｃによりベース１を構成している。また、基板１Ａの左右両辺には、夫々のアーム２，２が連続している。
【００１６】
基板１Ａは、中央の下部に、表示部５１の固定部５１Ｂとの干渉を避けるための回避用切欠１Ｄを有すると共に、保持板１Ｃの中央上部に、上側ロッド５２に係合する係合用切欠１Ｅを有している。両アーム２，２は、前方向に向けて上辺が下り傾斜した形状であり、その前端部分には、表示板３を取り付けるための取付孔２Ａが形成してある。各取付孔２Ａは、上側の切り込み２Ｂにより開放されている。
【００１７】
また、両アーム２，２の後端上部には、ベース１の基板１Ａから離間した位置に、竪の突条４が形成してある。このとき、基板１Ａと突条４との間隔は、前記表示部５１におけるポケット部５１Ａの厚さに対応している。
【００１８】
上記の表示具Ａは、図２に示す展開状態から、基板１Ａと連結板１Ｂとの間、及び連結板１Ｂと保持板１Ｃとの間を山折りすると共に、基板１Ａと各アーム２，２との間を谷折りすることで、図３に示す立体構造になる。これにより、表示具Ａは、ベース１が、プライスカードの表示部５１の後面に相対向する基板１Ａを有し、この基板１Ａに一対のアーム２，２を設けた構成になる。
【００１９】
表示板３は、図３に示すように、矩形状を成すと共に、上部の左右両端に、軸部３Ａ，３Ａを介して係止部３Ｂ，３Ｂを有している。表示板３は、その軸部３Ａを、アーム２の切り込み２Ｂから取付孔２Ａに通すことにより、アーム２に対して上下方向に回転自在に取り付けられ、係止部３Ｂにより取付孔２Ａからの脱落が阻止される。そして、表示板３は、前面に宣伝広告６０を設ける。宣伝広告６０は、とくに限定されるものではなく、例えば、紙等のシートや粘着面付のシール等である。
【００２０】
ここで、表示具Ａは、より好ましい実施形態として、少なくとも一対のアーム２，２が透明である構成にすることができる。上記の表示具Ａは、図２に示す如くベース１及びアーム２が一体成形してあるので、全体的に透明な材料を使用している。なお、表示具Ａの材料は、実質的に透明であれば良く、厳密に透明でなくても構わないし、少なくとも一部に模様やマーク等を設けても良い。
【００２１】
上記構成を備えた表示具Ａは、図４に示すように、陳列フックＨに対し、表示部５１のポケット部５１Ａの左右両側に、基板１Ａと突条４との隙間を嵌合して、表示部５１の後面にベース１の基板１Ａを配置し、さらに、上側ロッド５２に、ベース１における保持板１Ｃの係合用切欠１Ｅを係合する。
【００２２】
このようにして、表示具Ａは、陳列フックＨに対し、表示部５１を含む上側ロッド５２の前端部分に簡単に装着することができる。そして、表示具Ａは、陳列フックＨに装着した状態において、一対のアーム２，２が、下側ロッド５３よりも前方に延出し、陳列フックＨの前方空間に表示板３を吊り下げ状態に保持する。つまり、表示具Ａは、陳列フックＨの前方空間に配置した表示板３に宣伝広告６０を表示する。
【００２３】
この際、表示具Ａは、両アーム２，２の間に、表示部５１のポケット部５１Ａが位置するので、ポケット部５１Ａに設けたプライスカードを遮ることはない。さらに、表示具Ａは、図４中に仮想線で示すように、下側ロッド５３から商品Ｃを取り出す際には、表示板３が回転するので、商品Ｃの取り出しを何ら妨げることもない。
【００２４】
このようにして、上記表示具Ａは、前端にプライスカードの表示部５１を有する上側ロッド５２と、商品Ｃを吊り下げるための下側ロッド５３とを上下に備えた陳列フックＨに用いられ、商品群（Ｃ）の前方空間を有効利用するようにし、陳列フックＨの機能、すなわちプライスカードの表示や商品Ｃの取り外しなどの機能を全く妨げることなく、商品Ｃの宣伝広告６０を表示することができる。
【００２５】
また、上記表示具Ａは、ベース１が、プライスカードの表示部５１の後面に相対向する基板１Ａを有すると共に、基板１Ａに一対のアーム２，２を設けたことから、全体をシート状に一体成形することが可能であり、生産性、運搬性及び収納性に優れると共に、組み立てて上側ロッド５２に装着することも容易である。
【００２６】
さらに、上記表示具Ａは、少なくとも一対のアーム２，２を透明にしたことから、遮蔽感の無いものとなり、プライスカードの表示部５１や商品Ｃの視認性を良好に維持しつつ宣伝広告６０を表示することができる。
【００２７】
さらに、上記表示具Ａは、例えば、回転する表示板３と下側ロッド５３とが干渉しない寸法関係にしておけば、下側ロッド５３に商品Ｃを補充する際、表示板３が補充作業の妨げになることがない。また、上記表示具Ａは、回転する表示板３と下側ロッド５３とが干渉する寸法関係でも構わない。ただし、この場合、回転した表示板３が上側ロッド５３の上側に引っ掛かるので、商品Ｃの補充作業には好適であるものの、そのまま放置することは避けたい。そこで、表示具Ａは、例えば、表示板３の前方側での回転範囲を１８０度未満に規制して、表示板３が常に垂下状態に戻るようにしても良い。
【００２８】
図５〜図８は、本発明に係わる陳列フック用表示具の第２〜第７の実施形態を示す図である。なお、以下の各実施形態において、第１実施形態と同一の構成部位は、同一符号を付して詳細な説明を省略する。また、図５（Ｂ）、図６（Ａ）及び（Ｂ）は、図５（Ａ）中のＡ−Ａ線矢視に基づく図であり、ベース１の一部を省略している。
【００２９】
〈第２実施形態〉
図５に示す表示具Ａは、一対のアーム２，２の間隔を変更するためのアーム調節機構を備えている。一般に、上下のロッド５２，５３を備えた陳列フックＨには、プライスカードの表示部５１の幅寸法（左右寸法）が異なるものがある。この実施形態の表示具Ａは、表示部５１の幅寸法が異なる複数種の陳列フックＨに対応するものである。
【００３０】
図示例の表示具Ａは、ベース１と一対のアーム２，２とが別体の構成である。ベース１は、基板１Ａが、スリット１Ｆを有する二重構造になっている。スリット１Ｆは、基板１Ａの左右両側に開放されている。他方、各アーム２は、その後端に、直角方向に屈曲した上下の差し込み片２Ｃ，２Ｄを有する。これらの差し込み片２Ｃ，２Ｄは、ベース１のスリット１Ｆに対応する諸寸法を有している。
【００３１】
すなわち、上記の表示具Ａは、ベース１のスリット１Ｆと、アーム２の差し込み片２Ｃ，２Ｄとにより、アーム調節機構を構成している。そして、表示具Ａは、スリット１Ｆに、差し込み片２Ｃ，２Ｄを挿入することにより、図５（Ｂ）中の矢印で示すように、各アーム２の位置を調整する。これにより、表示具Ａは、陳列フックＨの表示部５１の幅寸法に応じて一対のアーム２，２の間隔を自在に変更することができる。
【００３２】
なお、上記構成の表示具Ａでは、例えば、スリット１Ｆと差し込み片２Ｃ，２Ｄとの間において、適当な摩擦力が生じるように双方の寸法関係を設定したり、係脱自在な凹凸を相対的に設けたりすることで、一対のアーム２，２の間隔を連続的又は段階的に調整可能にし、任意の調整位置でアーム２を保持する。凹凸の具体例としては、スリット１Ｆ及び差し込み片２Ｃのいずれか一方に、一つの凸部（又は凹部）を設けると共に、他方に、凸部（又は凹部）が係脱自在な複数の凹部（又は凸部）を所定間隔で配置し、凸部と選択した凹部とを係合させる構成である。
【００３３】
さらに、上記の表示具Ａでは、両アーム２，２の間隔が変わるので、その間隔に応じた幅寸法を有する表示板３を選択的に使用しても良いし、アーム２を撓み易い材料で形成することにより、必要に応じてアーム２を撓ませた状態にして表示板１を装着することも可能である。
【００３４】
〈第３実施形態〉
図６（Ａ）に示す表示具Ａは、第２実施形態と同様に、ベース１と一対のアーム２，２とが別体の構成である。ベース１は、基板１Ａが、スリット１Ｆを有する二重構造になっている。
【００３５】
図中で左側に示す一方のアーム２は、その後端に、直角方向に屈曲した状態で、ガイドバー２Ｅと、上面に歯列を有するラック２Ｆとを上下に所定間隔で平行に有している。また、他方のアーム２は、同じく直角方向に屈曲した状態で、ラック２Ｇと、下面に歯列を有するガイドバー２Ｈとを上下に所定間隔で平行に有している。
【００３６】
そして、両アーム２，２は、夫々のガイドバー２Ｅ，２Ｈ及びラック２Ｆ，２Ｇをベース１のスリット１Ｆに挿入し、その際、互いのラック２Ｆ，２Ｇの歯列を対向させると共に、夫々のガイドバー２Ｅ，２Ｈで相手側のラック２Ｆ，２Ｇを案内するように組み合わせる。そして、両ラック２Ｆ，２Ｇの間に、双方に係合するピニオン５６を配置している。ピニオン５６は、図示しない回転軸によりベース１側に保持されている。
【００３７】
すなわち、上記の表示具Ａは、ベース１のスリット１Ｆと、アーム２，２のガイドバー２Ｅ，２Ｈ及びラック２Ｆ，２Ｇと、ピニオン５６とにより、アーム調節機構を構成している。そして、表示具Ａは、両ラック２Ｆ，２Ｇ及びピニオン５６により、両アーム２，２を同時に動かして位置を調整する。これにより、表示具Ａは、陳列フックＨの表示部５１の幅に応じて一対のアーム２，２の間隔を自在に変更することができる。
【００３８】
〈第４実施形態〉
図６（Ｂ）に示す表示具Ａは、ベース１と一対のアーム２，２とが一体の構成であり、アーム２，２が、基板１Ａとの間に、アーム調整機構としての蛇腹部２Ｊ，２Ｊを有している。蛇腹部２Ｊは、横方向に伸縮可能である。
【００３９】
すなわち、上記の表示具Ａは、蛇腹部２Ｊを伸縮させることで、各アーム２の位置を調整し、陳列フックＨの表示部５１の幅寸法に応じて一対のアーム２，２の間隔を自在に変更することができる。
【００４０】
〈第５実施形態〉
図６（Ｃ）に示す表示具Ａは、表示板３の前面に、透明なポケット部３Ｃを設けたものである。この表示具Ａは、表示板３のポケット部３Ｃに宣伝広告６０を差し込むことにより、陳列フックＨの前方空間に宣伝広告６０を表示することとなり、宣伝広告６０の交換にも容易に対処することができる。
【００４１】
〈第６実施形態〉
図７に示す表示具Ａは、ベース１及び一対のアーム２，２を一体的に備えており、ベース１における基板１Ａの後面（背面）に、一対のフック５，５を備えている。両フック５，５は、陳列フックＨにおける表示部５１のポケット部５１Ａに対して、その上側から弾性的に係合するものであり、表示部５１の固定部５１Ｂを避けるように、基板１Ａの左右両側に配置してある。
【００４２】
また、この実施形態の表示具Ａは、図７（Ｃ）に示すように、表示板３が、後面側（背面側）への折り返し部３Ｄを有している。この表示具Ａの表示板３は、同図中に点線及び矢印で示すように、折り返し部３Ｄを弾性的に湾曲させて、その内側に宣伝広告６０を挟み込むことができる。なお、折り返し部３Ｄは、表示板３の前面側に設けても良い。
【００４３】
上記の表示具Ａは、図７（Ｃ）に示すように、陳列フックＨに装着した状態において、一対のアーム２，２が、下側ロッド５３よりも前方に延出し、陳列フックＨの前方空間に表示板３を吊り下げ状態に保持する。
【００４４】
ここで、上記の表示具Ａは、陳列フックＨに装着すると、ベース１の基板１Ａが、陳列フックＨの表示部５１の前面に相対向する。そこで、表示具Ａは、基板１Ａを透明にして、表示部５１のポケット部５１Ａに設けたプライスカードを視認可能にする。また、表示具Ａは、基板１Ａを透明にするか否かに係わらず、基板１Ａの前面をプライスカードの表示箇所にすることができ、基板１Ａの前面にプライスカード用のポケットを設けることも可能である。
【００４５】
上記の表示具Ａは、第１実施形態と同様に、商品群（Ｃ）の前方空間を有効利用するようにし、陳列フックＨの機能、すなわちプライスカードの表示や商品Ｃの取り外しなどの機能を全く妨げることなく、商品Ｃの宣伝広告を表示することができる。
【００４６】
また、一般に、上下のロッド５２，５３を備えた陳列フックＨには、プライスカードの表示部５１の高さ寸法が異なるものがある。これに対して、上記の表示具Ａは、フック５を有するベース１を採用しているので、表示部５１の高さ寸法に左右されることなく、陳列フックＨに容易に装着することができ、さらに、取り外しも容易である。
【００４７】
〈第７実施形態〉
図８に示す表示具Ａは、ベース１及び一対のアーム２，２を一体的に備えており、ベース１における基板１Ａの前面（正面）に、一対のフック６，６を備えている。両フック６，６は、陳列フックＨにおける表示部５１のポケット部５１Ａに対して、その上側から弾性的に係合可能であり、プライスカードの表示部５１の中央領域を避けて、基板１Ａの左右両側に配置してある。
【００４８】
上記の表示具Ａにあっても、先の実施形態と同様に、商品群（Ｃ）の前方空間を有効利用するようにし、プライスカードの表示や商品Ｃの取り外し等の陳列フックＨの機能を全く妨げることなく、商品Ｃの宣伝広告を表示することができる。また、上記の表示具Ａは、表示部５１の高さ寸法に左右されずに、陳列フックＨに対して容易に着脱し得る。
【００４９】
本発明に係わる陳列フック用表示具は、その構成が上記各実施形態のみに限定されるものではなく、本発明の要旨を逸脱しない範囲で構成を適宜変更することが可能であり、上記各実施形態で説明した構成を組み合わせることも可能である。つまり、表示具は、高さ寸法及び幅寸法の両方が異なる表示部に対処する構成にすることも可能である。また、アーム調整機構としては、両アームの間隔を変更し得るものであればとくに限定されることはなく、様々な構造を採用することができる。
【符号の説明】
【００５０】
Ａ  表示具
Ｃ  商品
Ｈ  陳列フック
１  ベース
１Ａ  基板
１Ｆ  スリット（アーム調整機構）
２  アーム
２Ｃ，２Ｄ  差し込み片（アーム調整機構）
２Ｅ，２Ｈ  ガイドバー（アーム調整機構）
２Ｆ，２Ｇ  ラック（アーム調整機構）
２Ｊ  蛇腹部（アーム調整機構）
３  表示板
５１  表示部
５２  上側ロッド
５３  下側ロッド
５６  ピニオン（アーム調整機構）
【図１】
2018068964.tif 000003
【図２】
2018068964.tif 000004
【図３】
2018068964.tif 000005
【図４】
2018068964.tif 000006
【図５】
2018068964.tif 000007
【図６】
2018068964.tif 000008
【図７】
2018068964.tif 000009
【図８】
2018068964.tif 000010